(57)【特許請求の範囲】
【請求項１】
計量対象物を定量計量して取り出し可能な計量収納容器であって、
前記計量対象物が収納される把持可能な容器本体と、
前記容器本体の上端部の一方の側において段差部を形成し、該段差部の上下方向の面である側面切欠部と水平方向の面である上面切欠部とを有する切欠部と、
前記容器本体内に設けられ、前記切欠部に上面開口部を臨ませた有底筒状の計量部と、
前記計量部の前記上面開口部を越えた前記計量対象物を、前記切欠部を介して前記容器本体に押し戻す擦切り遮蔽部とを備え、
前記擦切り遮蔽部は、前記切欠部を覆う箱型の形状を有するものであって、底面が解放された底面解放部と、前記側面切欠部に対応する側面を解放させた側面解放部とを有し、
前記側面切欠部における上側の部分は、前記容器本体の内部空間と外部空間とを仕切る仕切り壁となっており、
前記側面切欠部における前記仕切り壁よりも下側の部分は、該仕切り壁よりも面積が小さく、前記容器本体の内部空間と外部空間とを連通する下部開口部となっており、
前記容器本体は、前記擦切り遮蔽部が前記切欠部を覆う第１位置と、該擦切り遮蔽部の前記側面切欠部に対向する内側面が該側面切欠部に密接して前記下部開口部を閉塞する第２位置との間で移動し得るように該擦切り遮蔽部を案内する案内部を備え、
前記擦切り遮蔽部は、前記容器本体から該擦切り遮蔽部を経て前記計量部に移された前記計量対象物のうちの前記上面開口部を越えた部分を、前記第１位置から前記第２位置に移動される際に、前記下部開口部を介して前記容器本体に押し戻すものであり、
前記擦切り遮蔽部の内側面には、該擦切り遮蔽部が前記第２位置に位置するときに、前記下部開口部に嵌合する開口嵌合部が設けられ、
前記容器本体は、矩形状の上端面を有し、
前記擦切り遮蔽部が前記第２位置に位置しているとき、該擦切り遮蔽部の前記側面解放部は、前記上端面を横切る位置に位置することを特徴とする。
【発明の詳細な説明】
【技術分野】
【０００１】
本発明は、計量対象物の一定量を計量して取り出すことが可能な計量収納容器に関する。
【背景技術】
【０００２】
従来、計量対象物の一定量を計量して取り出ことができるようにした装置が知られている（例えば、特許文献１、２参照）。
【０００３】
引用文献１の装置は、竪型の箱本体と蓋を備え、箱本体の内底部又は蓋の頂壁内側のいずれか一方に、一端が側壁に形成した粉粒放出口部に連通する横向き案内筒を備える。案内筒の中途には、ホッパ付き粉粒流入口が設けられる。案内筒内には、計量小箱が、粉粒流入口部から放出口部間でスライド自在に装填される。小箱には、スライド時に粉粒放流入口を閉じる塞板が設けられる。
【０００４】
引用文献２の装置は、米を蓄える漏斗状のホッパと、手動で前後に出し入れする引き出しと、計量升とを備える。計量升は、引き出しに取り出し可能に載置してあり、引き出し後退時にホッパ流出口に連通する。ホッパ流出口の前面には、弾性部材からなる均し板が配置される。引き出しを前方に引き出す際に、均し板により計量升上面の米が擦り切られ、定量の米を計量升ごと取り出すことができるようになっている。
【先行技術文献】
【特許文献】
【０００５】
【特許文献１】特開昭６１−１９７９３４号公報
【特許文献２】特開２０１９−４１９９６号公報
【発明の概要】
【発明が解決しようとする課題】
【０００６】
しかしながら、特許文献１、２の装置によれば、ホッパから下方の計量小箱又は計量升に流入した計量対象物を、塞板又は均し板により擦り切るようにしている。このため、計量対象物を、塞板又は均し板により擦り切る際に、ホッパ内の計量対象物からの圧力を受けている計量小箱又は計量升内の計量対象物が、計量小箱又は計量升の縁と塞板又は均し板の端縁との間に挟まって、計量小箱又は計量升の移動による計量対象物の擦り切りがスムーズに行えない恐れがある。また、計量小箱又は計量升を移動させるためのスペースが必要であるため、装置が大型化する。
【０００７】
本発明の目的は、かかる従来技術の課題に鑑み、計量対象物の擦り切りがスムーズに行えるコンパクトな計量収納容器を提供することにある。
【課題を解決するための手段】
【０００８】
本発明の計量収納容器は、
計量対象物を定量計量して取り出し可能な計量収納容器であって、
前記計量対象物が収納される把持可能な容器本体と、
前記容器本体の上端部の一方の側において段差部を形成し、該段差部の上下方向の面である側面切欠部と水平方向の面である上面切欠部とを有する切欠部と、
前記容器本体内に設けられ、前記切欠部に上面開口部を臨ませた有底筒状の計量部と、
前記計量部の前記上面開口部を越えた前記計量対象物を、前記切欠部を介して前記容器本体に押し戻す擦切り遮蔽部とを備え、
前記擦切り遮蔽部は、前記切欠部を覆う箱型の形状を有するものであって、底面が解放された底面解放部と、前記側面切欠部に対応する側面を解放させた側面解放部とを有し、
前記側面切欠部における上側の部分は、前記容器本体の内部空間と外部空間とを仕切る仕切り壁となっており、
前記側面切欠部における前記仕切り壁よりも下側の部分は、該仕切り壁よりも面積が小さく、前記容器本体の内部空間と外部空間とを連通する下部開口部となっており、
前記容器本体は、前記擦切り遮蔽部が前記切欠部を覆う第１位置と、該擦切り遮蔽部の前記側面切欠部に対向する内側面が該側面切欠部に密接して前記下部開口部を閉塞する第２位置との間で移動し得るように該擦切り遮蔽部を案内する案内部を備え、
前記擦切り遮蔽部は、前記容器本体から該擦切り遮蔽部を経て前記計量部に移された前記計量対象物のうちの前記上面開口部を越えた部分を、前記第１位置から前記第２位置に移動される際に、前記下部開口部を介して前記容器本体に押し戻すものであり、
前記擦切り遮蔽部の内側面には、該擦切り遮蔽部が前記第２位置に位置するときに、前記下部開口部に嵌合する開口嵌合部が設けられ、
前記容器本体は、矩形状の上端面を有し、
前記擦切り遮蔽部が前記第２位置に位置しているとき、該擦切り遮蔽部の前記側面解放部は、前記上端面を横切る位置に位置することを特徴とする。
【０００９】
本発明によれば、容器本体を立った姿勢から計量部側に傾けることにより、容器本体に収納された計量対象物を、切欠き部を経て計量部に送ることができる。そして、容器本体の姿勢を元の立った姿勢に戻し、擦切り遮蔽部により、計量部の上面開口部を越えた計量対象物を、切欠部を介して容器本体に押し戻しつつ、この押し戻しに供した擦切り遮蔽部の部分により、押し戻しに際して押し戻した計量対象物が通過した切欠部の部分を遮蔽することができる。これにより、計量部にはその容積に対応する所定量の計量対象物が残る。
【００１０】
さらに、もう一度、容器本体を計量部側に傾けることにより、計量部内の計量対象物をカップ等に移すことができる。このとき、上記切欠き部の部分が遮蔽されているので、計量部内の所定量の計量対象物のみを、容易にカップ等に移すことができる。
【００１２】
また、擦切り遮蔽部により、計量部の上面開口部を越えた計量対象物を、側面切欠部を介して容器本体に押し戻したとき、擦切り遮蔽部の側面解放部と対向する内側面により、側面切欠部を閉塞することができる。これにより、計量部に移された計量対象物を、容器本体を傾けてカップ等に移すとき、容器本体の計量対象物が側面切欠部を経て外部にこぼれるのを防止することができる。
【図面の簡単な説明】
【００１３】
【図１】本発明の一実施形態に係る計量収納容器を示す斜視図である。
【図２】図１の計量収納容器において擦切り遮蔽部を容器本体に押し戻したときの様子を示す斜視図である。
【図３】図１の計量収納容器を傾けて、収納されている計量対象物の一部を擦切り遮蔽部に移したときの様子を示す模式図である。
【図４】図３の状態の計量収納容器を元の立てた状態に戻して、擦切り遮蔽部内の計量対象物を計量部に移したときの様子を示す模式図である。
【図５】図５の状態の計量収納容器において、擦切り遮蔽部を容器本体に押し戻したときの様子を示す模式図である。
【図６】図５の状態の計量収納容器を傾けて、計量部内の計量対象物をカップに移している様子を示す模式図である。
【発明を実施するための形態】
【００１４】
以下、図面を用いて本発明の実施形態を説明する。図１は、本発明の一実施形態に係る計量収納容器を示す。図１に示すこの計量収納容器１は、計量対象物を定量計量して取り出すことができるようになっている。
【００１５】
図１に示すように、計量収納容器１は、計量対象物が収納される把持可能な筐体である容器本体２と、容器本体２の上面の一端部を切り欠いた切欠部３と、容器本体２内に設けられ、切欠部３に上面開口部４を臨ませた有底筒状の計量部５と、計量部５の上面開口部４を越えた計量対象物を、切欠部３を介して容器本体２に押し戻す擦切り遮蔽部６とを備える。擦切り遮蔽部６は、箱型の形状を有するとともに、計量部５よりもやや大きい容積を有する。
【００１６】
容器本体２の上面には、容器本体２内に計量対象物を投入するときに開けられる蓋部７が設けられる。切欠部３は、上下方向の切断面である側面切欠部８と、横方向の切断面である上面切欠部９とを有する。側面切欠部８には、その内側と外側とを、一部を矩形状の下部開口部１０として残して仕切る仕切り壁１１が設けられる。下部開口部１０の下端縁は、計量部５の上面開口部４の１つの端縁にほぼ一致する位置に位置する。
【００１７】
仕切り壁１１に対向する擦切り遮蔽部６の内側面１２には、下部開口部１０に篏合する大きさを有する開口篏合部１３が設けられる。擦切り遮蔽部６は、切欠部３を覆う箱型の形状を有する。擦切り遮蔽部６は、底面が解放された底面解放部１４と、側面切欠部８に対応する側面を解放させた側面解放部１５とを有し、容器本体２に対して横方向にスライド自在に構成される。
【００１８】
図２は、擦切り遮蔽部６を図１に示される第１位置から容器本体２側に第２位置まで押し込んだときの様子を示す。図２に示すように、上述の横方向のスライドを実現するために、容器本体２の両側面には、擦切り遮蔽部６を第１位置と第２位置との間でスライド自在に案内する案内部１６が設けられる。なお、計量収納容器１は、計量対象物が移動する様子等を目視できるように、その一部又は全部が透明の材料で構成されるのが好ましい。
【００１９】
この構成において、計量収納容器１を使用する際には、容器本体２内に計量対象物としての米１７が収納され、かつ擦切り遮蔽部６が第１位置に位置する計量収納容器１を、図３のように傾けることにより、容器本体２内の米１７の一部を、下部開口部１０を介して擦切り遮蔽部６内に移す。
【００２０】
次に、図４のように、計量収納容器１を立てて、擦切り遮蔽部６内の米１７を計量部５内に移す。このとき、擦切り遮蔽部６は計量部５よりも容積がやや大きいので、計量部５内に移された米１７は、上面開口部４（上面切欠部９）を超えてやや盛り上がった状態となる。
【００２１】
次に、図５のように、擦切り遮蔽部６を第２位置にスライドさせる。この間に、米１７の上面開口部４よりもやや盛り上がった部分が、切欠部３の下部開口部１０を経て、擦切り遮蔽部６により容器本体２に押し戻され、擦り切られる。
【００２２】
擦切り遮蔽部６の第２位置へのスライドが完了すると、図５のように擦切り遮蔽部６の内側面１２が側面切欠部８に密接する。これにより、擦切り遮蔽部６の開口篏合部１３が切欠部３の下部開口部１０に勘合し、下部開口部１０が閉塞される。そして、計量部５内には、計量部５の容積に等しい、例えば一合の米１７が収容された状態となる。
【００２３】
次に、図６に示すように、容器本体２を傾けて、計量部５内の米１７をカップ１８内に移す。これにより、計量部５の容積に等しい米１７をカップ１８内に受け取ることができる。
【００２４】
以上のように、本実施形態によれば、容器本体２を傾けてから立てて、擦切り遮蔽部６を移動させ、さらに傾けるだけで、一合の米１７をカップ１８内に移すことができる。その際に、擦切り遮蔽部６の移動時には、擦切り遮蔽部６によって計量部５からやや盛り上がった米１７を容器本体２内に押しやるだけなので、擦切り遮蔽部６の移動をスムーズに行うことができる。
【００２５】
また、擦切り遮蔽部６により、計量部５の上面開口部４を越えた米１７を、側面切欠部８の下部開口部１０を介して容器本体２に押し戻したとき、擦切り遮蔽部６の内側面１２により、下部開口部１０を閉塞することができる。これにより、計量部５に移された米１７を、容器本体２を傾けてカップ１８に移すとき、容器本体２内の米１７が側面切欠部８の下部開口部１０を経て外部にこぼれるのを防止することができる。
【００２６】
本発明は、上述の実施形態に限定されない。例えば、計量対象物は、米１７に限らず、これに類似した粒状物や粉状物等であってもよい。また、切欠部３において仕切り壁１１は無くてもよい。すなわち、下部開口部１０の部分のみならず、側面切欠部８の全体にわたって開口していてもよい。
【符号の説明】
【００２７】
１…計量収納容器、２…容器本体、３…切欠部、４…上面開口部、５…計量部、６…擦切り遮蔽部、７…蓋部、８…側面切欠部、９…上面切欠部、１０…下部開口部、１１…仕切り壁、１２…内側面、１３…開口篏合部、１４…底面解放部、１５…側面解放部、１６…案内部、１７…米、１８…カップ。
【要約】
【課題】計量対象物の擦り切りがスムーズに行えるコンパクトな計量収納容器を提供する。
【解決手段】計量収納容器１は、米１７が収納される把持可能な容器本体２と、容器本体２の上面の一端部を切り欠いた切欠部３と、容器本体２内に設けられ、切欠部３に上面開口部４を臨ませた有底筒状の計量部５と、計量部５の上面開口部４を越えた米１７を切欠部３を介して容器本体２に押し戻す擦切り遮蔽部６とを備える。
【選択図】図１【図１】
0006950995.tif 000002
【図２】
0006950995.tif 000003
【図３】
0006950995.tif 000004
【図４】
0006950995.tif 000005
【図５】
0006950995.tif 000006
【図６】
0006950995.tif 000007